(57)【要約】【課題】  本発明は通気性、吸湿性よく、かつ、繰り返し使用でき、足の裏を常に快適な状態に保ち履き心地の良い、足の裏に適合する中敷きを提供する。【解決手段】  本発明は、今までの三次元構造繊維体で形成されたインソールと異なり、その下面に備長炭シートを履き物の底形部分に別に設置する構成でなく、中敷きの中央部分にマイナスイオンを放出する備長炭粉末、及びプラチナ・トルマリン綿を内部装備し、それをスパン糸にて結び合わせ互いに装着し、その表面部、並びに裏面部に、練っていない絹丹後生縮緬を両面に装着させ、靴下の中敷きに絹繊維糸、絹生縮緬糸にて形成させ、靴下の中敷きの両面に丹後縮緬柄を表示させ、一層の高級感と絹生縮緬のセリシン効果のある中敷き表現を丹後織りにて強調させた。【選択図】      図１
2006161257.tif 000002
【特許請求の範囲】
【請求項１】
練ってない絹生縮緬（２ａ）と練ってない絹生縮緬（２ｂ）の間に、特殊加工にてスパンポリエステル１００％を紡いでスパン綿式に形成させた部分に、備長炭の粉末を加工して形成した備長炭シート（３）を、プラチナを混合させたトルマリン綿、又は銅混合綿（４）シートと合体させ、一体型のシート状に構成させ、その下側にホルマリンの入っていない紙、又は不織布１枚（５）を構成して、（３）（４）（５）を内部網締め糸（６）にて一体に締め付け、本発明の作用中心部材とする。かかる中心部材の上面に絹わた、又は化繊わた（９ａ）、下面に絹不織布、又は化繊わた（９ｂ）を数枚組合せ形成し、全体を表絹生縮緬（２ａ）と裏絹生縮緬（２ｂ）にて覆い、外部網締め糸（７）にて外部網締め形態にて構成させ、五次元構造繊維体で形成したことを特徴とする靴下の中敷きの構造。
【請求項２】
内部網締め糸（６）にて一体に締め付ける作用が無く、全体を表絹生縮緬（２ａ）と裏絹生縮緬（２ｂ）にて覆い、外部網締め糸（７）にて外部網締め形態にて構成させ、五次元構造繊維体で形成したことを特徴とする請求項１記載の靴下の中敷きの構造。
【請求項３】
請求項１に記載の靴下の中敷きの構造において、中心部よりマイナスイオンを放出させ、血中のカルシウムやナトリウムに作用して弱アルカリ化を促進し、身体の抵抗力や自律神経の改善にも役立てる機能を有する備長炭粉末（３）のシートと、遠赤外線効果を発揮させるプラチナを混合させたトルマリン綿、又は銅混合綿（４）が、靴下の中敷き中央部に一体に設けられていることを特徴とする請求項１、請求項２記載の靴下の中敷きの作用構造。
【請求項４】
絹生縮緬（２ａ）（２ｂ）を肌に接することにより絹生縮緬のセリシンが肌に付着し、つるつるの肌にさせることを特徴とする請求項１、請求項２、請求項３記載の靴下の中敷きの作用構造。
【発明の詳細な説明】
【技術分野】
【０００１】本発明は、和服、洋服の靴下の中敷きに使用され、クッション性に優れ、足むれのない保湿性、吸湿性に最も優れた絹１００％の丹後縮緬で包み囲んだことに関する。
【背景技術】
【０００２】靴等の履き物の内部に通気性をもたせたインソール等が敷かれ、構成されたものがすでに特開２００１−１４９１０９号で知られている。【０００３】そこで特開２００１−１４９１０９号の特許明細書により、靴やサンダル等の履き物に使用され、通気性やクッション性に優れ足蒸れを防止するインソールについて説明する。【０００４】その発明において、インソールは、第１の網目状部材と、所定寸法離れて設けられている第２の網目状部材とが連結して構成され、その第１と第２の所定の離れ寸法間に、太く、曲げ弾性の強いモノフィラメント糸を挿入して、三次元構造繊維体で形成させるインソールと明示されている。【０００５】更に、本発明は立体構造の三次元構造繊維体を形成使用しているので、その下面に、備長炭の粉末を加工して形成された備長炭シートを、履き物の底形状に形成した補助中敷きにて設けられていることもあると請求項６に明示されている。【０００６】従って、記述された先願は、材料的にもウレタンホーム、スポンジ、不織布、天然皮革及びフエルト等が用いられ、三次元構造繊維体はポリエステル糸を編組みして形成したものであることが好ましいが、ナイロンやテトロン等、他の化学繊維を使用して構成させる構造のものであると材料的に明示されていた。【０００７】明細書の【０００９】には、この様な三次元構造繊維体を履き物の底形状に形成したものをそのまま単独に、他の部材と組み合わせて使用しても良いと記載されている。
【技術文献１】
特開２００１−１４９１０９号公報  （第１頁、第３頁）
【発明の開示】
【発明が解決しようとする課題】
【０００８】使用されている今までの靴下の中敷き構成は、図２の特開２００１−１４９１０９号公報に示す三次元構造繊維体に構成したインソールか、表布地と裏布地との間に金属粉末層を構築した実用新案登録第３０１７４９３号の形態が一般である。【０００９】例えば、特開２００１−１４９１０９号公報に示す三次元構造繊維体に構成したインソールでは、三次元構造繊維体を、靴等の履き物の底形状に合わせて形成したものを単独で使用したものであり、これに備長炭の粉末を加工して形成された備長炭シートを使用する場合には、三次元構造繊維体に構成したインソールの底部に別に補助的に中敷きを設け使用することを特徴としており、木炭の脱臭効果、有害物質の吸収効果等を別にプラスさせる。また、木炭から発生する遠赤外線により保温効果もプラスさせられる別システムを与える形態となっている。
【発明を解決するための手段】
【００１０】本発明は、この今までの別機能構成方法でなく、請求項１の発明は、備長炭粉末を加工して形成された備長炭シート３の両面に、スパンポリエステル１００％の紡ぎ糸を特殊加工でシート状に装着形成し、その下面にプラチナを混合させたトルマリン・プラチナ混合綿、又は銅混合綿４を、その下にホルマリンの入っていない紙、又は通気性の良い絹等の不織布５を１枚挿入し、この３種の繊維を内部網締め糸６形態に締め上げ、更に、備長炭シート３のスパンポリエステルのシートの上面に絹わた、又は化繊わた９ａを、並びに不織布５の下面に更に同じ絹不織布、又は化繊わた９ｂを３枚程度挟み込み、形成された最上面、最下面に、練ってない生縮緬２ａ、２ｂにて覆って中敷き形態に形成させ、外部網締め糸７にてこれらを結合して構成させる五次元構造繊維体にて全体形成したことにより、今までにない備長炭と遠赤外線面を、丹後で織られた絹で包み、発生させる遠赤外線にて、疲れ、痛みや冷え性に十分の遠赤外線効果を与え、プラチナを混合させたトルマリン・プラチナ混合綿から発するプラチナ電磁波効果を与えるハイテク素材を人に優しく与え、今までに無い丹後縮緬健康グッズを提供できた。
【発明の効果】
【００１１】以上、前述したように、本発明は、備長炭、トルマリン、絹生縮緬を用い構成させた五次元構造繊維体、即ち、五次元の立体構造の繊維体、主に絹繊維体を使用しているため、足感に優れた、しかも、足裏にマイナスイオンを放出し、血中のカルシウムやナトリウムに作用して弱アルカリ化を促進し、身体の抵抗力や自律神経の改善にも役立てさせる備長炭粉末の効果と、プラチナを混合させたトルマリン綿の組織効果により、遠赤外線効果とプラチナ電磁効果を発揮させ、しぼの凹凸感と共に、足裏に柔らかい空気感をも感じさせ、靴下に込めることにより、今までにない現代の健康効果に適合した靴下の絹中敷き効果を取得することができた。
【発明を実施するための最良の形態】
【００１２】本発明に使用する生糸は未精錬のためセリシンがフイブロインを包む構造で、セリシンの効果は、フイブロインを保護する役割となり製織を容易にし、生糸を使う加工の段階ではセリシンは大いに活用され、メリットとなりその妙味は計り知れない。【００１３】そのセリシン効果を形成させる最良の形態は、靴下を履いた際に発生する足先の汗は酸性染料であるため靴下に色が付く、従ってこれを練らないセリシン付きの生縮緬にした場合、セリシンが肌に付くため、抗菌性が発生し、健康にも良く、肌荒れもしなくつるつるした肌となる。今までにないセリシンで巻いた生縮緬の効果を靴下にて取得するすることができる。
【実施例】
【００１４】図１は靴下の中敷きとして足の裏に適用させる中敷きの構造を示し、本発明の詳細図面として五次元構造の繊維体の構成断面図を示している。
図２は先願の特開２００１−１４９１０９号公報に示す三次元構造繊維体に構成したインソールの構成図を示す。【００１５】本発明の使用する縮緬織は経糸に生糸、緯糸に強撚糸の生糸を使用し、経糸が生糸２１中を４本平組織で、緯糸が生糸２１中、１０本を３４００Ｔ／ｍの強撚糸とし、Ｓ・Ｚ強撚糸を１本交互に織り込んだ一越ちりめんと、Ｓ・Ｚ強撚糸を２本ずつ交互に織り込む二越ちりめんが一般に行われ、製織後に行われる精錬加工は行わない。従って、織物の表面に緯糸の撚戻力により細かいシボの群生は無い。【００１６】靴下の中敷き１は、表面側２ａと裏面側２ｂには、上記に表示された厚さ０．５ミリ程度の絹生縮緬織物により表裏が覆われ、その表面と裏面は厚さ８ミリから１０ミリ程度の中間厚みにて足の裏との接触面に合わせ、表面側２ａと裏面側２ｂをポリエステル１００％のスパン糸の網目連結糸７にて網目形式にて縛り付ける。【００１７】靴下の中敷き１の周りの側面は縁取り８にて糸にて耳縛り構成させ、表面側２ａと裏面側２ｂの厚みのほぼ中間付近には備長炭粉末層が構成配置させている。【００１８】その絹生縮緬織物により表裏が覆われた中身は図１に示す断面詳細図にて別示される。【００１９】図１別示において、表面は練ってない生縮緬２ａ、その下に厚さ２．５ミリ程度の生絹の綿９ａを差し込み、その下に厚さ約０．４程度の備長炭に両面を０．２のポリエステル１００％のスパン糸にて覆われ形成された備長炭粉末３か、又は備長炭粉末３をポリエステル１００％のスパン糸に混入し０．８ミリ程度の厚さに構成された備長炭３を構成させる。【００２０】次に、備長炭３の下に０．５ミリ程度の厚さにトルマリン・プラチナ混合綿４をその下にホルマリンの入っていない紙か、又は不織布５を１枚配置し、上記３，４，５の３体の構成帯体をスパン糸にて内部網締め糸６にて縛る。【００２１】上記構成されたトルマリン・プラチナ混合綿４と裏面側の練ってない生縮緬２ｂとの間、２．５ミリの間には３枚程度の絹不織布９ｂが挿入され、表面絹生縮緬２ａと裏面絹生縮緬２ｂの間をポリエステル１００％のスパン糸の外部網締め糸７にて網目形式にして表裏縛りを行う。【００２２】かかる五次元構造繊維体にて形成されるプラチナ・トルマリン・備長炭などにより発生させるマイナスイオンを放出する鉱物の粒子を混入して、形成されたそのハイテク素材は、人に優しく、保湿性、吸湿性に最も優れた効能を持っていると云われる。
それは評判の絹１００％の丹後縮緬で包まれ、また、備長炭から発生させる遠赤外線により、トルマリンとの隣接効果により、共存する保温効果も得られ、例え足裏から発汗があっても、脱臭効果、吸収効果が発揮され、常に清浄さを保つ動作が繰り返えさせられる。【００２３】又、備長炭粉末のシート３は、一般に１０ミクロン程度の備長炭粒子を含ませて構成させ、形成する厚さは０．４〜０．６ミリ程度の薄いシートにて構成させることが最適である。【００２４】備長炭からできた究極の木炭繊維の効果は、
１）冬は暖かく、夏はサラッとさわやか。
２）優れた消臭効果と回復力。
３）疲労感やストレスを解消。
４）優れた抗菌・吸湿性によりダニカビの発生を抑制。
させることである。【００２５】遠赤外線の効果では
１）リュウマチ・関節炎・痛風などを和らげる。
２）生理痛・便秘・更年期障害など
３）慢性期間支炎・気管支たん息・痔など
４）子供のアトピー性皮膚炎など
５）皮下脂肪排泄・美肌など
６）スポーツあとのぎっくり腰・腰痛など
疲れ、痛み、冷え性に特に効果があり、冬の保温、夏の冷房による冷え防止にも効果があると云われている。【００２６】特にシルクは、即ち絹には抗菌作用と、保湿と放湿する作用があり、足に多大の健康効果がある。
【産業上の利用可能性】
【００２７】本発明の五次元構造繊維体で形成された中敷きは丹後縮緬調を感じさせ、高級感ある靴下柄を表現し、絹の美しさ、繊細な折り込み等今までにない実感を皆に感じさせ、マイナスイオンも放出させ利用可能性が大である。
【図面の簡単な説明】
【００２８】
【図１】足の裏に適用する中敷きの構造を示す一部拡大図を含む斜視図である。
【図２】従来の三次元構造を示す参考斜視図である。
【符号の説明】
１．    足の裏に適用する中敷き
２ａ．  表絹生縮緬
２ｂ．  裏絹生縮緬
３．    備長炭粉末
４．    トルマリン・プラチナ混合綿、又は銅混合綿
５．    ホルマリンの入ってない紙、又は不織布
６．    内部網締め糸
７．    外部網締め糸
８．    縁取り
９ａ．  絹めん、化繊わた
９ｂ．  絹不織布、化繊わた
１０ａ．第１網目状部材
１０ｂ．第２網目状部材
１０ｃ．連結部材
１１．  備長炭シートで形成された補助下敷き
【図１】
2006161257.tif 000003
【図２】
2006161257.tif 000004